(57)【要約】      （修正有）【課題】低コストで簡便な工程で効率よく色と味の良い用品の製造方法及び装置を提供する。【解決手段】原料は畜皮の各層を使用する。前処理工程は脂肪を削る工程、分層する工程、軟化剤を加え、水で洗浄する工程がある。湿式成形は、水を切り、裁断する工程、及び編んで成形する皮加工法、又は水切、刻み、粘着剤を添加して攪拌する工程、及びプレス又は押し出しを含む粒状原料加工法である。乾式成形は、皮の天日乾燥、裁断、水に浸け込む工程、及び編んで又はプレスする皮加工法、又は天日乾燥して粉砕し粘着剤を添加して攪拌する及びプレス又は押し出す粒状原料加工法である。後処理工程には、自然乾燥及び加熱乾燥工程がある。回転ドラムには原料出し入れ兼排水口、注水口があり、回転ドラムの側面方向に駆動装置がある。使用する燻炉は炉扉、原料の出入れ口、排煙口、台車付燻製棚、レールを有する。【選択図】図１
2004267208.tif 000002
【特許請求の範囲】
【請求項１】
畜皮の前処理、成形、及び後処理の工程からなり、原料として畜皮の第２層及び／又は第２層より下の各層を使用し、
前記前処理工程には、畜皮の脂肪を削る工程、層を分ける工程、軟化剤を加えて軟化する工程、及び皮のPHが５〜８になるまで水で洗浄する工程があり、前記軟化工程及び前記洗浄工程はいずれも回転ドラムの中で行われ、
前記成形工程には、湿式成形又は乾式成形が含まれ、
前記湿式成形は、湿皮の皮加工法又は湿皮の粒状原料加工法であって、
前記湿皮の皮加工法の手順には、水を切る工程、裁断する工程、及び編む工程があり、
前記湿皮の粒状原料加工法の手順には、水を切る工程、粒子の大きさが７ｍｍ未満になるまで細かく刻む工程、粘着剤を加えて原料を攪拌する工程、及びプレスする又は押し出す工程があり、
前記乾式成形は、乾燥皮の皮加工法又は乾燥皮の粒状原料加工法であって、
前記乾燥皮の皮加工法の手順には、前処理した皮を自然乾燥する工程、裁断する工程、水に浸け込む工程、及び編んで又はプレスして成型する工程があり、
前記乾燥皮の粒状原料加工法の手順には、前処理した皮を自然乾燥する工程、粒子の大きさが７ｍｍ未満になるまで粉砕する工程、粘着剤を加えて原料を攪拌する工程、及びプレスする又は押し出す工程があり、
前記後処理工程は、自然乾燥及び加熱乾燥して、又は加熱乾燥して、その含水量を１５%より小さくすることを特徴とするペット用品の製造方法。
【請求項２】
層を分ける前記工程により分層した畜皮の厚さは、３〜６.５ｍｍであることを特徴とする請求項１に記載のペット用品の製造方法。
【請求項３】
前記湿皮の皮加工法及び前記乾燥皮の皮加工法における皮の裁断長さは、共に１６〜１４０ｃｍ、幅が２.５〜２０ｃｍであることを特徴とする請求項１に記載のペット用品の製造方法。
【請求項４】
前記乾燥皮の皮加工法における乾燥皮の裁断厚さは、０.８〜２ｍｍであることを特徴とする請求項１に記載のペット用品の製造方法。
【請求項５】
前記乾燥皮の皮加工法における皮巻きを編む前の乾燥皮の裁断幅は、０.９〜１２ｃｍであることを特徴とする請求項１に記載のペット用品の製造方法。
【請求項６】
前記前処理工程における回転ドラムの回転速度は、７〜１２回転／分であることを特徴とする請求項１に記載のペット用品の製造方法。
【請求項７】
前記前処理工程において、軟化過程の畜皮：軟化剤：水=７５〜８５：１.５〜２.５：１０〜２０という重量比であり、かつ回転ドラムの回転時間を３０〜９０分間に制御することを特徴とする請求項１に記載のペット用品の製造方法。
【請求項８】
前記前処理工程の軟化工程と洗浄工程との間に、脱脂の工程が付加されており、脱脂工程の畜皮：脱脂剤：水=９０〜１００：０.５〜１.５：１１〜２０という重量比で、かつ回転ドラムの回転時間を４０〜６０分間に制御することを特徴とする請求項１に記載のペット用品の製造方法。
【請求項９】
前記湿式成形の湿皮の粒状原料加工法及び前記乾式成形の乾燥皮の粒状原料加工法において、原料を混ぜる粘着剤は、もち米粉と食用タピオカ粉から製造され、その重量比が、もち米粉又はタピオカ粉：ゼラチン：水=７０〜８０：１〜２：５０〜６０であり、粒状原料と粘着剤の重量比が７５〜９０：１０〜２５であることを特徴とする請求項１に記載のペット用品の製造方法。
【請求項１０】
前記乾燥皮の皮加工法における水に浸け込む工程における水に浸け込む時間は、２〜１０分間であることを特徴とする請求項１に記載のペット用品の製造方法。
【請求項１１】
前記乾燥皮の皮加工法における水に浸け込む工程における乾燥皮の含水量は、２５〜４０%であることを特徴とする請求項１に記載のペット用品の製造方法。
【請求項１２】
前記湿式成形の湿皮の粒状原料加工法及び／又は前記乾式成形の乾燥皮の粒状原料加工法の原料を攪拌する工程中に、皮の粒状原料を着色する工程が組み込まれていることを特徴とする請求項１に記載のペット用品の製造方法。
【請求項１３】
前記湿式成形の湿皮の粒状原料加工法及び／又は前記乾式成形の乾燥皮の粒状原料加工法の原料を攪拌する工程中に、皮の粒状原料に風味付けする工程が組み込まれていることを特徴とする請求項１に記載のペット用品の製造方法。
【請求項１４】
前記加熱乾燥工程で、３５〜６５℃の低中温で２４〜４８時間加熱し、かつ７５℃の高温まで徐々に温度を上げて３６〜４８時間加熱するという２段階の排気式加熱乾燥を行なうことを特徴とする請求項１に記載のペット用品の製造方法。
【請求項１５】
前記前処理工程における水で洗浄する工程後、調色を行う際、
配合原料の重量比が、畜皮：調色剤：水=８０〜９０：１.２〜１.８：１０〜１５であれば、本来の色のペット用品用皮を形成し、
配合原料の重量比が、畜皮：調色剤：水=８０〜９０：１２〜２０：６〜１５であれば、白色のペット用品用皮を形成し、
調色は回転ドラムの中で行われ、回転ドラムの回転時間が２４０〜３００分間であり、
調色完了後に再度水で洗浄することを特徴とする請求項１に記載のペット用品の製造方法。
【請求項１６】
前記調色剤として過酸化水素水を使うことを特徴とする請求項１５に記載のペット用品の製造方法。
【請求項１７】
前記後処理工程の自然乾燥かつ加熱乾燥、あるいは加熱乾燥後に、燻製工程が付加されており、
その燻製工程を、温度８０〜１２０℃、時間５〜３０分間に制御し、
燻製は燻炉の中で行われることを特徴とする請求項１に記載のペット用品の製造方法。
【請求項１８】
前記燻製工程で、その燻煙材の重量比が、おがくず４０〜６０に対して糖料３５〜６０であり、さらに燻煙材との重量比が３〜１０の水で均等に攪拌し、
燻すペット用品の重さ９０〜１００に対し、燻煙材を１〜３の割合で使用し、
燻製は燻炉の中で行われることを特徴とする請求項１７に記載のペット用品の製造方法。
【請求項１９】
前記糖料が重量比２０〜３０の郷土伝統蔗糖と重量比１５〜３０の白砂糖とから調製されることを特徴とする請求項１８に記載のペット用品の製造方法。
【請求項２０】
原料出し入れ兼排水口（１）、注水口（２）があり、側面に駆動装置が取り付けられており、横置式で、その直径が２〜４メートル、長さが２〜４メートルで、長さと直径の比が１：１〜１.２に制御されていて、内側面に攪拌パネル（３）又は攪拌杭（４）が取り付けられていることを特徴とする請求項１に記載のペット用品の製造方法に使用する回転ドラム。
【請求項２１】
前記攪拌パネル（３）が６〜１２枚あり、ドラムの長さに沿って均等に固定されていて、高さが２０〜２５ｃｍであることを特徴とする請求項２０に記載の回転ドラム。
【請求項２２】
前記攪拌杭（４）が放射状星形交差で均等に配置されていて、ドラムの長さに沿って５５〜６５ｃｍごとに、ドラムの円周に沿って垂直距離５０〜６０ｃｍごとに配列され、杭（４）の高さが２０〜２５ｃｍであることを特徴とする請求項２０に記載の回転ドラム。
【請求項２３】
木製、プラスチック製、又は金属製であることを特徴とする請求項２０に記載の回転ドラム。
【請求項２４】
炉扉（１１）、原料の出し入れ口（１２）、排煙口（１３）、台車付燻製棚（１４）、及びレール（１６）を有しており、長方形の構造で、炉内頂部に排煙口（１３）があり、下部に燻煙材用のトレー（１７）があり、トレー（１７）の下部に加熱炉（１８）があり、
台車付燻製棚（１４）の垂直方向に多層の加熱乾燥棚（１５）が固定されていて、
レール（１６）を用いて台車付燻製棚（１４）を燻炉の内部に設置でき、加熱乾燥棚（１５）の上にペット用品をセットできることを特徴とする請求項１７のペット用品の製造方法の燻製工程に使用する燻炉。
【請求項２５】
前記原料出し入れ口（１２）は、前記炉扉（１１）の両側面に取り付けられていることを特徴とする請求項２４に記載の燻炉。
【請求項２６】
前記炉の内部の長さ、幅、高さは、それぞれ１.８〜２.５メートル、１.８〜２.５メートル、１.６５〜２.３メートルであり、
前記排煙口（１３）の直径は、０.２５〜０.３５メートルであり、
前記加熱乾燥棚（１５）の間隔は、０.２５〜０.３メートルであり、
前記トレー（１７）と最下部の加熱乾燥棚（１５）の間隔は、０.５〜０.８メートルであることを特徴とする請求項２４に記載の燻炉。
【発明の詳細な説明】
【技術分野】
【０００１】
本発明は、ペット用品の製造方法及び装置に関する。具体的には、畜皮の第２層及び／又は第２層より下の各層皮を原料として、ペット用品を製造する製造方法及び装置に関する。
【背景技術】
【０００２】
従来の技術においては、ブタ皮の第１層から第４層までを原料とし、ブタ皮を脱毛、分層、洗浄、天日乾しなどによる自然乾燥などの前処理工程を通して、製品皮にする。そして裁断する、液体に浸ける、加熱乾燥するなどの成形工程を通して、成形品にし、さらに、燻製及び焙煎によって、製品であるペット用製品に成形する。
【０００３】
前記方法の中で、使用する原料の中にはブタ皮の第１層皮が含まれる。ブタの第１層皮は製革の主要な原料であるため、利用価値が高く、価格は第２層のブタ皮の倍以上であるため、第１層皮を使ってペット用品の原料とすることは資源の多大な浪費を引き起こす。
【０００４】
同時に脱毛などの煩雑な工程もあり、必然的にコストの上昇をもたらす。
【０００５】
また後処理工程中には燻製及び焙煎する工程もある。従来の技術中では、例えばZL０１２３８６２４.３号中国特許に記載の“ブタ皮製犬用ガムの燻製装置”では、ブタ原皮を分層し、第１、第２、第３、第４層の生皮を切り取り、そして脱脂、洗浄、天日乾しなどによる自然乾燥を通して製品皮にしている。その特徴は燻製及び焙煎工程を通し、着色、風味付けして、犬用ガムにしている。指摘しなければならないことは、燻製及び焙煎は２種の異なる加工方法であることである。焙煎は製品に完全に熱を通し、油を出させるため、表層が炭化しやすくなる上に、変質しやすくなるので、ペットは食べたがらない。生皮製犬用ガムの品質要求は“生であること”であり、燻製及び焙煎方法を使って製品を加熱することは明らかに犬用ガムの製造上の品質要求を満たさない。
【０００６】
また、燻製及び焙煎の設備には発煙装置、燻製用の籠、籠の支持具と籠蓋とがあり、しかも毎回の燻製及び焙煎する製品の数は有限で、燻製する製品を入れ替えるたびに、籠蓋を開けねばならず、生産上の不便をもたらす。
【特許文献１】中国特許ZL０１２３８６２４.３号明細書
【発明の開示】
【発明が解決しようとする課題】
【０００７】
本発明の目的は前記従来技術の不備を克服して、低コストかつ工程も簡便で効率の良い、前処理、成形と後処理工程を完備した、色と味のよいペット用品の製造方法及び装置を提供することである。
【課題を解決するための手段】
【０００８】
本発明が提供するペット用品の製造方法には、畜皮の前処理工程、成形工程、後処理工程がある。原料としては、畜皮の第２層及び／又は第２層より下の各層を使用する。
【０００９】
前処理工程には、畜皮の脂肪を削る工程、層を分ける工程、軟化剤を加えて軟化する工程及び皮のPHが５〜８になるまで水で洗浄する工程がある。前記軟化工程、前記洗浄工程はいずれも回転ドラムの中で行われる。
【００１０】
前記成形工程には、湿式成形又は乾式成形が含まれる。
【００１１】
前記湿式成形には、湿皮の皮加工法又は湿皮の粒状原料加工法がある。前記湿皮の皮加工法の手順には、水を切る工程、裁断する工程、及び編む工程がある。前記湿皮の粒状原料加工法の手順には、水を切る工程、粒子の大きさが７ｍｍ未満になるまで細かく刻む工程、粘着剤を加えて原料を攪拌する工程、及びプレス又は押し出す工程がある。
【００１２】
前記乾式成形には、乾燥皮の皮加工法又は乾燥皮の粒状原料加工法がある。前記乾燥皮の皮加工法の手順には、前処理した皮を自然乾燥する工程、裁断する工程、水に浸ける工程、及び編む又はプレスする工程がある。前記乾燥皮の粒状原料加工法には、前処理した皮を自然乾燥する工程、粒子の大きさが７ｍｍ未満になるまで粉砕する工程、粘着剤を加えて原料を攪拌する工程、及びプレスする又は押し出す工程がある。
【００１３】
前記後処理工程では、自然乾燥及び加熱乾燥し、又は加熱乾燥し、その含水量を１５%より小さくする。
【００１４】
このペット用品製造方法で使用する回転ドラムには、原料の出し入れ兼排水口、注水口があり、回転ドラムの側面には駆動装置が取り付けられている。この回転ドラムは横置式で、直径は２〜４メートル、長さは２〜４メートルで、長さと直径の比が１：１〜１.２に制御されている。回転ドラムの内側面には攪拌パネル又は攪拌杭が取り付けられている。
【００１５】
ペット用品製造方法中の燻製工程で使用する燻炉には、炉扉、原料の出し入れ口、排煙口、台車付燻製棚とレールがある。燻炉は長方形の構造で、炉内の頂部に排煙口があり、下部に燻煙材トレーがあり、トレーの下部には加熱炉がある。台車付燻製棚の垂直方向に多層の加熱乾燥棚が固定されていて、台車付燻製棚は、レールにより燻炉の内部に設置され、加熱乾燥棚の上にペット用品をセットする。
【００１６】
本発明で提供する製造方法はさらに以下の付加的技術特徴を有する。
【００１７】
畜皮の分層の厚さが３〜６.５ｍｍである。
【００１８】
前記湿皮の皮加工法と乾燥皮の皮加工法における皮の裁断長さがいずれも１６〜１４０ｃｍで、幅が２.５〜２０ｃｍである。
【００１９】
前記乾燥皮の皮加工法において、乾燥皮の裁断厚さが０.８〜２ｍｍである。
【００２０】
前記乾燥皮の皮加工法において、皮巻きを編む前の乾燥皮の裁断幅が０.９〜１２ｃｍである。
【００２１】
前記前処理工程中の回転ドラムの回転速度が７〜１２回転／分である。
【００２２】
前記前処理中の軟化過程で、畜皮：軟化剤：水=７５〜８５：１.５〜２.５：１０〜２０という重量比であり、また回転ドラムの回転時間を３０〜９０分間に制御する。
【００２３】
前記前処理の軟化工程と洗浄工程の間に、脱脂工程が付加されており、脱脂工程では、畜皮：脱脂剤：水=９０〜１００：０.５〜１.５：１１〜２０という重量比であり、また回転ドラムの回転時間を４０〜６０分間に制御する。
【００２４】
湿式成形の湿皮の粒状原料加工法と乾式成形の乾燥皮の粒状原料加工法において、原料を混ぜる粘着剤がもち米粉と食用タピオカ粉から製造され、その重量比が、もち米粉又はタピオカ粉：ゼラチン：水=７０〜８０：１〜２：５０〜６０であり、粒状原料と粘着剤の重量比が７５〜９０：１０〜２５である。
【００２５】
前記の水に浸ける工程での水に浸ける時間が２〜１０分間である。水に浸ける工程での乾燥皮の含水量が２５〜４０%である。
【００２６】
前記湿式成形の湿皮の粒状原料加工法及び／又は乾式成形の乾燥皮の粒状原料加工法の原料を混ぜる工程中に、皮の粒状原料を着色する工程が組み込まれている。
【００２７】
前記湿式成形の湿皮の粒状原料加工法及び／又は乾式成形の乾燥皮の粒状原料加工法の原料を混ぜる工程中に、皮の粒状原料に風味付けする工程が組み込まれている。
【００２８】
前記加熱乾燥工程で、２４〜４８時間３５〜６５℃の低中温で加熱し、７５℃の高温まで徐々に温度を上げて３６〜４８時間加熱するという２段階の排気式加熱乾燥法を使用する。
【００２９】
前処理の水洗工程後、調色を行う。調色は再度の水洗を含み、その配合原料の重量比が、畜皮：調色剤：水=８０〜９０：１.２〜１.８：１０〜１５であれば、本来の色のペット用品用皮を形成する。配合原料の重量比が、畜皮：調色剤：水=８０〜９０：１２〜２０：６〜１５であれば、白色のペット用品用皮を形成する。調色は回転ドラムの中で行われ、回転ドラムの回転時間は２４０〜３００分間で、調色完了後に再度水洗を行なう。調色剤として過酸化水素水を使う。
【００３０】
後処理工程の自然乾燥及び加熱乾燥、又は加熱乾燥後に、燻製工程が付加されており、その燻製工程を、温度８０〜１２０℃、時間５〜３０分間に制御し、燻製は燻炉の中で行われる。
【００３１】
前記燻製工程で、その燻煙材の重量比が、おがくず４０〜６０に対して糖料３５〜６０であり、さらに燻煙材との重量比が３〜１０の水で均等に攪拌する。燻製するペット用品の重さ９０〜１００に対し、燻煙材を１〜３の割合で使用し、燻製は燻炉の中で行われる。
【００３２】
燻製工程における前記糖料が重量比２０〜３０の郷土伝統蔗糖と重量比１５〜３０の白砂糖とから構成される。
【００３３】
前記回転ドラム構成における攪拌パネルが６〜１２枚であり、ドラムの長さに沿って均等に固定されていて、高さが２０〜２５ｃｍである。攪拌杭を取り入れる場合、放射状星形交差で均等に取り付けられ、ドラムの長さに沿って５５〜６５ｃｍ間隔、ドラムの周囲に沿って垂直距離５０〜６０ｃｍ間隔で配列し、杭の高さは２０〜２５ｃｍにする。
【００３４】
前記回転ドラムは、木製、プラスチック製、又は金属製である。
【００３５】
前記燻炉の構成において、原料の出し入れ口が炉扉の両側面に取り付けられている。炉内の長さ、幅、高さがそれぞれ１.８〜２.５メートル、１.８〜２.５メートル、１.６５〜２.３メートルである。排煙口の直径は０.２５〜０.３５メートルである。加熱乾燥棚の間隔は０.２５〜０.３メートルであり、トレーと最下部の加熱乾燥棚の間隔が０.５〜０.８メートルである。
【発明の効果】
【００３６】
本発明は従来の技術に比べて以下の長所がある。本発明が提供するペット用品の製造方法及び装置によって、牛、ブタ、馬、ラバなどの動物を含む多種の畜皮を加工することができ、第２層及び／又は第２層より下の各層皮を取って原料とするため、皮革製品工場の副産物の充分な利用とコストダウンを図ることができ、従来方法における原皮が高価であるという欠点を解決できる。
【００３７】
畜皮の資源を充分に利用するため、資源の節約、環境の保護という積極的な社会的意義を有する。本発明の工程は完成されていて、多種のペット用品の成形方法を提供していて、幅広い範囲に応用でき、製品の品種は豊富である。
【００３８】
本発明で提供する回転ドラムの製造は簡便で、前処理工程の軟化、脱脂、洗浄、調色の各工程の要求を充分に満たし、従来の生産過程の、当該業界における定型的な設備がないという欠陥を解決する。
【００３９】
本発明で提供する燻炉装置は、燻製する製品を置くために台車付燻製棚を用いるため、製品の出し入れが容易であり、毎回の燻製数量が増え、生産効率を向上させる。
【発明を実施するための最良の形態】
【００４０】
本発明のペット用品の製造方法には畜皮原料の前処理、成形と後処理の工程があり、ブタ皮、馬皮、牛皮、ラバ皮などの動物の畜皮を原料とし、畜皮の第１層はすでに皮革製品工場で皮革原料として切り取られ、衣服又はスーツケース、カバンなどの高級皮革製品の製造に使われる。第２層及び／又は第２層より下の各層皮がペット用製品工場の原料とされることは、以下の説明を通じて同様である。畜皮原料には余分な脂肪が残存しているため、前処理工程で余分な脂肪を削る必要があり、特製のバイトで上述の残留脂肪を削り落とす。更に原料を分層し、工程上の必要性に応じて、原料を異なる厚さの皮層に分割する。長さ５ｃｍ〜４０ｃｍのペット用品に加工する場合は、脂肪を削った後の層の厚さを３〜６.５ｍｍに収めるべきである。
【００４１】
その後、原料を特製の回転ドラムに入れ、軟化剤を加えて軟化させ、水で洗浄する。
【００４２】
工程で使用する設備は図１、図２参照の回転ドラムであり、回転ドラムは、木製、プラスチック製、又は金属製であり、通常は木製で横置式である。当該回転ドラムには原料出し入れ兼排水口（１）、注水口（２）があり、回転ドラムの側面には駆動装置が取り付けられている。
【００４３】
原料出し入れ兼排水口（１）は、ドラムの中部に設置することによって、畜皮原料の出し入れを便利に行なうことができるとともに、ドラムの直径に沿って対称に二つを取り付けることによって、回転ドラムの回転時に、回転と排水を同時に行なうことができる。
【００４４】
注水口（２）は、ドラム側面の軸管内に設けられている。回転ドラムの直径は２〜４メートル、横方向の長さは２〜４メートルであり、長さと直径の比を１：１〜１.２に制御する。
【００４５】
回転ドラムの内側面には、ドラム内の原料と処理液を充分に接触させるために数本の攪拌手段、すなわち攪拌パネル（３）又は攪拌杭（４）が取り付けられている。本発明で取り付けられている攪拌パネル（３）は６〜１２枚であり、ドラムの長さに沿って均等に固定されていて、高さは２０〜２５ｃｍである。
【００４６】
取り付けられた攪拌手段が攪拌杭（４）である場合、杭（４）は、放射状星形交差で均等に、ドラムの長さに沿って５５〜６５ｃｍ間隔、ドラムの周囲に垂直距離５０〜６０ｃｍ間隔で配列されるべきである。杭（４）の高さは２０〜２５ｃｍであり、図３では一組みの杭（４）の展開図が示されている。
【００４７】
操作過程での回転ドラムの回転速度は、７〜１２回転／分に制御する。実際、試したところ、畜皮を攪拌しやすく、かつ畜皮を回転ドラム中で充分に処理液と接触させられるという最良の効果を得た。
【００４８】
軟化工程では、原料、軟化剤、水を一定の比率で投入する必要があり、その重量比は７５〜８５：１.５〜２.５：１０〜２０である。回転ドラムを３０〜９０分間回転させた後、洗浄工程に入り、回転ドラム中に絶えず水を注いで、汚れた水を排出しながら、皮のPHが５〜８になるまで洗う。
【００４９】
原料畜皮に含まれる油脂分が多い場合、軟化工程と洗浄工程との間に、脱脂工程を加える必要がある。脱脂工程においては、９０〜１００：０.５〜１.５：１１〜２０の重量比で原料、脱脂剤、水を投入し、回転ドラムを４０〜６０分間回転させる。脂肪が少ない場合は、この工程を省略しても良い。
【００５０】
工程上必要な場合には、皮に対して調色を行う。具体的な操作は、洗浄中及び洗浄後、皮がまだ回転ドラムから取り出される前に、回転ドラムに原料、調色剤、水を投入する。本来の色の皮を製造する場合は、上述の重量比は、８０〜９０：１.２〜１.８：１０〜１５である。
【００５１】
白色皮を製造する場合は、上述重量比は８０〜９０：１２〜２０：６〜１５であり、調色過程は回転ドラムの中で４〜５時間間欠的に回転と中断を繰り返すことにより行われ、すなわち回転ドラムの回転時間と回転中断時間を合わせて２４０〜３００分間であり、回転時間と中断時間の比は１：３である。調色後再度注水して洗浄し、同様に皮のPHが５〜８になるまで洗う。
【００５２】
調色を行わない場合は、製品の色は濃くなる。
【００５３】
調色剤として過酸化水素水を使用できる。処理効果がよい上に、環境に対して汚染を生じない。なお、本説明では、使用原料に対し、前処理工程以前では畜皮と称し、前処理工程以降では皮と称し、成形し加熱乾燥した後ではペット用品と称する。これは以下においても同様である。
【００５４】
上述の前処理後、すなわちペット用品となるべき畜皮から皮までの工程を完成した後、成形工程に入る。
【００５５】
成形工程には、又は湿式成形又は乾式成形の二種類がある。具体的には、湿式成形には、湿皮の皮加工法と湿皮の粒状原料加工法とがある。湿皮の皮加工法の手順には、湿皮の水を切る工程、裁断する工程、編んで成形する工程がある。皮から製品までの過程中、一定の収縮が起こることを考慮に入れると、皮を裁つ時、一定の余量を残すべきである。実際に編むペット用品の長さが２ｃｍ〜４０ｃｍである場合、皮の裁断片の長さは加工余量を含めて１６〜１４０ｃｍでなければならず、幅は規格、重量に応じて異なるが、２.５〜２０ｃｍに収める。
【００５６】
湿皮の粒状原料加工法の手順には、水を切る工程、細かく刻む工程、粘着剤を加えて原料を攪拌する工程、及びプレス又は押し出す工程がある。細かく刻まれた粒子の大きさは７mｍ未満である。湿式成形の湿皮の粒状原料加工法中では、原料を攪拌する際に加える粘着剤は、もち米粉又は食用タピオカ粉とから製造され、その重量比はもち米粉又はタピオカ粉：ゼラチン：水=７０〜８０：１〜２：５０〜６０である。粒状原料と粘着剤の重量比は７５〜９０：１０〜２５で、その粒状原料の重さには水を含めない。なお、製造したペット用品に一層魅力を感じさせるために、原料を攪拌する過程において食用色素及び調味料を添加してもよい。
【００５７】
前記乾式成形には、乾燥皮の皮加工法又は乾燥皮の粒状原料加工法の二種類がある。乾燥皮の皮加工法の手順は、前処理した皮を一定程度に天火乾燥してから裁断した後、編んで又はプレスして成型する。乾燥皮の皮加工法の場合も、湿式成形の湿皮の皮加工法と同様に、乾燥皮の裁断片の長さは加工余量を含めて１６〜１４０ｃｍに収め、幅は規格によって異なるが、２.５〜２０ｃｍに制御する。裁断した乾燥皮の厚さは０.８〜２ｍｍである。編んで又はプレスして製造するペット用品の長さが５〜３３ｃｍである場合、乾燥皮の長さは５.５〜３５.５ｃｍとする。その幅は規格、重量に応じて異なるが、４〜２８ｃｍに制御し、その厚さは０.８〜２ｍｍとする。しかし、皮巻きを加工する時は、その幅を０.９〜１２ｃｍに維持しなければならない。手作業で編む前に、乾燥皮を水に浸け込む工程が必要であり、その時間は２〜１０分間で、乾燥皮の含水量を２５〜４０％にする。
【００５８】
前記乾燥皮の粒状原料加工法の手順には、前処理した皮を天日乾しや陰乾しなどにより自然乾燥してから、粉砕する、粘着剤を加えて原料を攪拌する、プレス又は押し出す工程があり、粉砕した粒子の大きさは７ｍｍ未満である。原料を攪拌する粘着剤は、粘着度の高いもち米粉又は食用タピオカ粉から調製され、製法と用量は前記湿式成形の湿皮の粒状原料加工法と同様である。原料を攪拌する工程において食用色素及び調味料を添加することができる。
【００５９】
湿式成形品又は乾式成形品は、後処理工程に進んで水分を取り除くべきであり、乾燥室で加熱乾燥する、又は天日乾しや陰乾しなどによる自然乾燥後さらに加熱乾燥することができる。加熱乾燥は乾燥室で行われ、乾式成形品又は湿式成形品は積み重ねてはならず、それぞれ離して乾燥棚（１５）に置くべきであり、上下に設けられた乾燥棚（１５）の距離を１２cm〜２０ｃｍに維持し、乾燥室の高さは２.８メートルを超えないようにする。加熱乾燥過程ではまず３５〜６５℃の温度で２４〜４８時間低温排気制御を行い、その後３６〜４８時間絶えず排気しながら徐々に７５℃まで温度を上げる。後処理工程後のペット用品の含水量を１５％未満に制御する。
【００６０】
後処理工程後、ペット用品に色と風味を付加するため、燻製工程を加えても良く、燻製過程においては燻炉内の温度を８０〜１２０℃、時間を５〜３０分間に制御する。
【００６１】
燻煙材の重量比は、おがくず４０〜６０に対して糖料３５〜６０で構成され、さらに燻煙材に対して重量比３〜１０の水で均等に攪拌し、燻製するペット用品の重さ９０〜１００に対し、燻煙材を水分を除いた重量比で１〜３使用する。前記の糖料は１種又は多種の糖類を配合して使用しても良く、異なる糖類は異なる風味をもたらす。例えば重さ２０〜３０の郷土伝統蔗糖と重さ１５〜３０の白砂糖とを配合して糖料とする。
【００６２】
燻製は燻炉内で行われる。燻炉は、図４、図５に示すように、炉扉（１１）、原料の出し入れ口（１２）、排煙口（１３）、台車付燻製棚（１４）、レール（１６）を有する。炉内の頂部に排煙口（１３）が設けられ、下部に燻煙材用のトレー（１７）があり、トレー（１７）の下部には加熱炉（１８）がある。
【００６３】
台車付燻製棚（１４）は垂直方向に多層の加熱乾燥棚（１５）が固定されている。台車付燻製棚（１４）はレール（１６）によって燻炉に出し入れすることができ、製品を燻製する時に燻炉内に入れ、加熱乾燥棚（１５）の上にペット用品をセットする。原料の出し入れ口（１２）を炉扉（１１）の両側面に取り付けると最も便利であり、二つの台車付燻製棚（１４）を用いた連続操業が可能となり、生産効率が向上する。
【００６４】
燻炉は長方形構造であり、炉内の長さ、幅、高さはそれぞれ１.８〜２.５メートル、１.８〜２.５メートル、１.６５〜２.３メートルに設計されている。排煙口（１３）の直径は０.２５〜０.３５メートルで、排煙の便宜上、複数の排煙口（１３）を設けることができる。
【００６５】
台車付燻製棚（１４）上の加熱乾燥棚（１５）の間隔は０.２５〜０.３メートルで、トレー（１７）と最下部の加熱乾燥棚（１５）の間隔は０.５〜０.８メートルであると良い。
【００６６】
具体的な操作は、燻製しようとするペット用品を台車付燻製棚（１４）の加熱乾燥棚（１５）の上に置いた後、台車付燻製棚（１４）を燻炉内に進め、用意した燻煙材を均等に燻煙材用トレー（１７）に散布し、炉の扉を閉める。次に、加熱炉（１８）を起動し、強火でトレー（１７）の底部を加熱し、燃焼の温度を制御して、トレー（１７）上の燻煙材を不完全燃焼させ、速やかに煙を出させ、規定の温度と時間に制御する。このようにすれば、煙で燻製したペット用品の完成品となる。
【実施例１】
【００６７】
畜皮として第１層皮を取り除いた生ブタ皮を使用する。
【００６８】
原料ブタ皮の皮下残留脂肪をバイトで削り落とす。次にバンドナイフマシンでブタ皮を三つの層に分割する。次いで分割された畜皮を回転ドラムに入れる。
【００６９】
ブタ皮１５００キログラムに対し、４０キログラムの軟化剤と２５０キログラムの水を回転ドラムに加える。回転ドラムを起動し、回転速度９回転／分で、３０分間回転させ、残液を排出する。
【００７０】
さらに回転ドラム中に脱脂剤１５キログラム、水２５０キログラムを入れ、回転速度を９回転／分に保ちながら、４０分間回転させた後、溶液を排出する。
【００７１】
上述の軟化剤と脱脂剤は共に市販のものである。水を加えて洗浄し、洗浄液を測定してPHが６になったら、洗浄を終了する。
【００７２】
回転ドラム中に市販の調色剤を入れ、調色を行い、白色皮に加工する。ブタ皮を同様に１５００キログラムとして計算すると、調色剤３００キログラムと水１５０キログラムを加え、回転ドラムの回転速度を９回転／分とし、回転時間は２４０分間とする。
【００７３】
湿式成形の湿皮の皮加工法では、まず調色後の湿皮の水を切って水分を除き、裁断する。長さと幅は用品の必要に応じて決めるが、製品の種類は多種多様であるため、裁断の寸法にも多くの規格がある。例えば、長さを１００ｃｍ、幅を３ｃｍとした後、様々な形態を編み上げる。
【００７４】
成形後、加熱乾燥を行ない、加熱乾燥は６０℃の温度を２４時間を維持した後、更に温度を７５℃まで徐々に上げて３６時間加熱乾燥した後、包装して出荷する。
【００７５】
乾燥は乾燥室で行われ、ペット用品が完全に重なるように置いてはならず、加熱乾燥棚（１５）の上に離して置くべきである。上下に設けられた加熱乾燥棚（１５）の間隔は２０ｃｍに設計されていて、乾燥室の高さは２.５メートルである。
【００７６】
使用する回転ドラムの直径は２.２メートルで、長さは２メートルであり、回転ドラムには原料出し入れ兼排水口（１）と、注水口（２）が設けられていて、その側面方向には駆動装置が取り付けられており、回転ドラムを横置式で回転させ、その内側面には１２枚の攪拌パネル（３）が取り付けられている。回転ドラムは木材で製造される。
【実施例２】
【００７７】
第一層を取り除いた生牛皮を原料とする。
【００７８】
まずバイトで残余の脂肪を削り落とし、4層に分割した後、回転ドラムに入れ、牛皮７５０キログラムに対し、軟化剤２１キログラム、水１３０キログラムを加え、回転速度は１０回転／分で６０分間回転させる。
【００７９】
牛皮の切片が軟化した後、残液を排出し、脱脂剤８キログラム、水１３５キログラムを加え、実施例１と同じ構造の回転ドラムで回転速度１０回転／分で５０分間回転させ、その後洗浄を行い、PHが７になるまで水で洗浄する。
【００８０】
続いて調色を行い、白色皮に加工し、上述の原料の比率に対して調色剤１６０キログラム、水８０キログラムを加え、回転ドラムを１０回転／分で回転させ、時間を２４０分間前後に制御して間欠回転を行ない、調色終了後、さらに水で洗浄する。
【００８１】
湿式成形の湿皮の粒状原料加工法では、まず皮の水を切って水分を除いた後、細刻機で皮を細かく刻んで粒状にし、粒子の大きさを７mｍ未満にすべきである。さらに攪拌工程に進んで原料を攪拌する際、粒状原料に適量の食用色素と食用香料を加え、さらに粘着剤を入れる必要もある。
【００８２】
粘着剤はもち米のりを用い、これはもち米９６キログラム、ゼラチン２キログラムと水７１キログラムから調製され、攪拌機の中で皮の粒状原料と均等に攪拌してから、プレス機と押し出し機でそれぞれプレス及び押し出して粒状原料を成型させる。
【００８３】
最後に、加熱乾燥工程に進むが、加熱乾燥は排気制御して４０℃の温度を３６時間維持する低温段階と、排気制御して７０℃の温度を４０時間維持する高温段階の二段階で行われる。
【００８４】
加熱乾燥後のペット用品の含水量の測定値は１２％に達する。上記原料を投入して加工するペット用品の重量は１８０キログラムに達する。
【００８５】
燻製が必要な場合は、燻炉の一回の燻製量によって、４回に分けて燻製する。燻煙材は４回合計で３.７キログラムを使用し、その中でおがくずは２キログラム、郷土伝統蔗糖は１.１キログラム、白砂糖は０.７キログラムである。それを水０.３キログラムで調製し、毎回の燻製時間を１０分以内にとして９５℃で燻製し、燻製後の製品を包装して出荷する。
【００８６】
使用する燻炉には同様に炉扉（１１）、原料の出し入れ口（１２）、排煙口（１３）、台車付燻製棚（１４）、レール（１６）がある。炉内の長さと幅はそれぞれ２メートルで、高さは１.７メートルであり、排煙口（１３）の直径は０.３メートルである。
【００８７】
台車付燻製棚（１４）は垂直方向に４層の加熱乾燥棚（１５）が固定されていて、上下の加熱乾燥棚（１５）の間隔は０.２６メートルであり、加熱乾燥棚（１５）の上に加熱乾燥したペット用品を置く。燻炉内の下部に燻煙材用トレー（１７）を置く。トレー（１７）と最下部の加熱乾燥棚の間隔は０.６５メートルで、トレー（１７）下部の加熱炉（１８）によって加熱する。
【実施例３】
【００８８】
ここでは、第一層を取り除いた生ブタ皮１０００キログラムを畜皮とする。
【００８９】
その脂肪を削る過程と畜皮を分層する過程は実施例１と同様である。軟化の際、軟化剤２５キログラムと水１６６キログラムを加え、回転ドラムの中で前処理を行なう。回転ドラムの回転速度は１２回転／分で、回転時間は４０分間であり、この時間は回転ドラムの回転時間の総計で、中断時間が含まれていない。
【００９０】
そして、軟化液を取り除いた後、脱脂工程に入り、脱脂剤７.２キログラム、水１３４キログラムを加え、回転ドラムの回転速度は１２回転／分で、５０分間回転させる。その後、洗浄し、PHが７になったら水洗を停止する。
【００９１】
乾式成形の乾燥皮の皮加工法は、前処理後の原料を天日乾しや陰乾しなどにより自然乾燥してから、裁断し、その厚さを１ｍｍにする。製品の種類が非常に多いため、製品の長さと幅は多種の規格を選ぶことができ、例えば、長さは２０ｃｍ、幅は２.５ｃｍである。
【００９２】
しかし、皮巻き製品を製造する時は、巻き物の外観形状の維持及び加工の便宜上、乾燥皮の裁断幅を０.９〜１２ｃｍとし、例えば、１０ｃｍを選択しても良い。
【００９３】
その後、原料を水の中に浸けて、水に浸け込む処理を５分間行ない、軟化した後、プレス機でプレスして又は直接編んで成形し、最後に、加熱乾燥の方法でペット用品にする。
【００９４】
編んだ製品が白色皮である場合は、製品の外観色を維持するために、加熱乾燥によって後処理を行なう。この例で使用する回転ドラムの直径は２.９メートル、長さは２.５メートルで、ドラムの内側面に攪拌杭（４）を取り付け、杭（４）を取り付ける規格は図３に示されているので、その一例を選び、杭（４）の高さを２３ｃｍとして選び、均等に回転ドラムの内表面に分布させる。回転ドラムは木製又はプラスチック製である。
【実施例４】
【００９５】
畜皮として第一層を取り除いた生牛皮７５０キログラムを使用する。
【００９６】
脂肪を削り、実施例１と同様に三層に分割する。軟化剤１６キログラム、水１７７キログラムを加え、回転ドラムの回転速度を８回転／分、時間7０分間に制御する。
【００９７】
本実施例の原料の脂肪は極めて少ないため、脱脂工程を省略し、PHが７になるまで水で洗浄する。
【００９８】
乾式成形の乾燥皮の粒状原料加工法により、まず前処理した皮を乾かしてから粉砕し、粒子の大きさを７mｍにする。
【００９９】
その後、原料を攪拌すると同時に粘着剤を加える。粘着剤は食用タピオカ粉を水で調製して作られ、タピオカ粉５８キログラム、ゼラチン１キログラムと水４６キログラムから調製される。それを皮の粒状原料と均等に攪拌した後、押し出して又はプレスして成型する。
【０１００】
押し出し成型は型の違いによって、押し出して又はプレスして多種の形状の製品に成型することができる。また、プレス成型品を皮の中に包み込んで編み、縫合して、様々な形状の製品を作ることもできる。
【０１０１】
最後に、加熱乾燥して、ペット用品にする。加熱乾燥は、二段階により完成され、低温段階では３５℃の温度で３０時間を維持し、その後温度を７０℃の高温まで徐々に上昇させてさらに４８時間加熱して、終了する。
【０１０２】
加熱乾燥後、燻製を行い、９０℃の温度で時間を１０分間に制御する。本実施例の乾燥皮の原料もまた４回の燻製を必要とし、燻煙材の総量は５.８キログラムで、その内訳はおがくず３キログラム、郷土伝統蔗糖１.５キログラム、白砂糖１.３キログラムであり、これに水０.３キログラムを加えて調製し、四回に分けて使用し、燻製設備は実施例２と同様である。使用する回転ドラムの構造は実施例３と同様である。
【図面の簡単な説明】
【０１０３】
【図１】本発明のペット用品製造方法に使用する回転ドラムの全体図
【図２】図１に示す回転ドラムのB−B横向断面図
【図３】回転ドラムの攪拌杭の配置図
【図４】本発明で提供する燻炉の全体構成の縦方向断面図
【図５】図４に示す燻炉のA−A俯瞰図
【符号の説明】
【０１０４】
１  原料出し入れ兼排水口
２  注水口
３  攪拌パネル
４  攪拌杭
１１  炉扉
１２  出し入れ口
１３  排煙口
１４  台車付燻製棚
１５  加熱乾燥棚
１６  レール
１７  トレー
１８  加熱炉
【図１】
2004267208.tif 000003
【図２】
2004267208.tif 000004
【図３】
2004267208.tif 000005
【図４】
2004267208.tif 000006
【図５】
2004267208.tif 000007